(57)【要約】【課題】第１のエンドレスウィンチのかご枠への取り付けの作業効率を向上させることができるエレベータの据付装置を得る。【解決手段】昇降路１内のかご枠５に設けられ、駆動することでかご枠５を昇降させる一対の第１のエンドレスウィンチ６と、かご枠５と第１のエンドレスウィンチ６との間に設けられ、かご枠５に対して第１のエンドレスウィンチ６を昇降路１の壁面方向に向かって移動可能にする移動可能手段９と、かご枠５と第１のエンドレスウィンチ６の間に設けられ、かご枠５に対して第１のエンドレスウィンチ６を上方に移動させかご枠５を押圧することで、かご枠５に対する第１のエンドレスウィンチ６の壁面方向への移動を規制する移動規制手段１０とを備えている【選択図】図３
2009196808.tif 000002
【特許請求の範囲】
【請求項１】
昇降路内のかご枠に設けられ、駆動することで前記かご枠を昇降させる一対の第１のエンドレスウィンチと、
前記かご枠と前記第１のエンドレスウィンチとの間に設けられ、前記かご枠に対して前記第１のエンドレスウィンチを前記昇降路の壁面方向に向かって移動可能にする移動可能手段と、
前記かご枠と前記第１のエンドレスウィンチとの間に設けられ、前記かご枠に対して前記第１のエンドレスウィンチを上方に移動させ前記かご枠を押圧することで、前記かご枠に対する前記第１のエンドレスウィンチの前記壁面方向への移動を規制する移動規制手段とを備えたことを特徴とするエレベータの据付装置。
【請求項２】
前記移動可能手段は、前記第１のエンドレスウィンチに回転自在に設けられたローラと、前記かご枠に設けられる、前記ローラを前記壁面方向に沿って転動可能に支持する転動面を含んだガイドレールとを有していることを特徴とする請求項１に記載のエレベータの据付装置。
【請求項３】
前記移動規制手段は、前記転動面に対向して設けられた、前記ローラに押圧されて係合することで前記ローラの移動を規制する第１の係合体を有していることを特徴とする請求項２に記載のエレベータの据付装置。
【請求項４】
一対の前記第１のエンドレスウィンチの下方には、駆動することで前記かご枠を昇降させる第２のエンドレスウィンチがさらに設けられていることを特徴とする請求項１ないし請求項３の何れか１項に記載のエレベータの据付装置。
【請求項５】
前記第１のエンドレスウィンチと前記第２のエンドレスウィンチとの間には、前記第２のエンドレスウィンチとに係合することで、前記第１のエンドレスウィンチに対する前記第２のエンドレスウィンチの水平方向への移動を規制する第２の係合体がさらに設けられていることを特徴とする請求項４に記載のエレベータの据付装置。
【請求項６】
前記第１のエンドレスウィンチの下側には、キャスターがさらに設けられていることを特徴とする請求項１ないし請求項５の何れか１項に記載のエレベータの据付装置。
【発明の詳細な説明】
【技術分野】
【０００１】
この発明は、昇降路内のかご枠に設けられる、駆動することでかご枠を昇降させる一対のエンドレスウィンチを備えたエレベータの据付装置に関する。
【背景技術】
【０００２】
従来、昇降路内のかご枠に装着され、駆動することで前記かご枠を昇降させる一対のエンドレスウィンチを備えたエレベータの据付装置が知られている（例えば、特許文献１参照）。
このものの場合、作業床を前記かご枠に固定し、さらに前記かご枠にネジを用いて前記エンドレスウィンチを固定した後、前記エンドレスウィンチを駆動させ、前記作業床を所定の位置まで昇降させて、作業者がエレベータの据付作業を行う。
【０００３】
【特許文献１】特開平９−２７２６７１号公報
【発明の開示】
【発明が解決しようとする課題】
【０００４】
しかしながら、このものの場合、エンドレスウィンチをかご枠に固定するときに、ネジを用いなくてはならず、エンドレスウィンチのかご枠への取り付けの作業効率が悪いという問題点があった。
【０００５】
この発明は、上述のような問題点を解決することを課題とするものであって、その目的は、第１のエンドレスウィンチのかご枠への取り付けの作業効率を向上させることができるエレベータの据付装置を提供するものである。
【課題を解決するための手段】
【０００６】
この発明に係るエレベータの据付装置は、昇降路内のかご枠に設けられ、駆動することで前記かご枠を昇降させる一対の第１のエンドレスウィンチと、前記かご枠と前記第１のエンドレスウィンチとの間に設けられ、前記かご枠に対して前記第１のエンドレスウィンチを前記昇降路の壁面方向に向かって移動可能にする移動可能手段と、前記かご枠と前記第１のエンドレスウィンチとの間に設けられ、前記かご枠に対して前記第１のエンドレスウィンチを上方に移動させ前記かご枠を押圧することで、前記かご枠に対する前記第１のエンドレスウィンチの前記壁面方向への移動を規制する移動規制手段とを備えている。
【発明の効果】
【０００７】
この発明に係るエレベータの据付装置によれば、かご枠と第１のエンドレスウィンチとの間には、第１のエンドレスウィンチを昇降路の壁面方向に向かって移動可能にする移動可能手段と、第１のエンドレスウィンチの壁面方向への移動を規制する移動規制手段とが設けられているので、第１のエンドレスウィンチのかご枠への取り付けの作業効率を向上させることができる。
【発明を実施するための最良の形態】
【０００８】
以下、この発明の各実施の形態を図に基づいて説明するが、各図において、同一または相当の部材、部位については、同一符号を付して説明する。
実施の形態１．
図１はこの実施の形態に係るエレベータの据付装置が取り付けられたエレベータの要部を示す正面図、図２は図１のエレベータを示す側面図、図３は図１のエレベータの据付装置を示す拡大図である。
この実施の形態に係るエレベータの据付装置が取り付けられるエレベータは、昇降路１内に鉛直方向に延びた一対のかご枠用ガイドレール２と、昇降路１の上方の機械室３に取り付けられた巻上機４と、昇降路１内をかご枠用ガイドレール２に沿って昇降するかご枠５とを備えている。
エレベータの据付装置は、かご枠５の下方に取り付けられた、駆動することでかご枠５を昇降させる一対の第１のエンドレスウィンチ６と、かご枠５に取り付けられた作業床８とを備えている。
それぞれの第１のエンドレスウィンチ６は、先端部が巻上機４に固定されるワイヤーロープ７の巻き取りおよび送り出しを行う第１のエンドレスウィンチ本体６ａと、この第１のエンドレスウィンチ本体６ａを支持した第１のエンドレスウィンチフレーム６ｂとを有している。
作業床８は、かご枠５の上側に固定された上部作業床８ａと、この上部作業床８ａに連結され、かご枠５の下方に配置された下部作業床８ｂとを有している。
作業者は、上部作業床８ａおよび下部作業床８ｂに乗って、エレベータの据付作業を行う。
また、エレベータの据付装置は、かご枠５と第１のエンドレスウィンチ６との間に、第１のエンドレスウィンチ６を昇降路１の壁面方向に移動可能にする移動可能手段９と、第１のエンドレスウィンチ６の壁面方向への移動を規制する移動規制手段１０とを備えている。
【０００９】
移動可能手段９は、第１のエンドレスウィンチフレーム６ｂの上部に回転自在に取り付けられた一対のローラ１１と、かご枠５の下面に固定されたエンドレスウィンチ用ガイドレール１２とを有している。
エンドレスウィンチ用ガイドレール１２は、昇降路１の壁面方向に延びた直方体形状であって、内部が空洞に形成されている。
また、エンドレスウィンチ用ガイドレール１２には、ローラ１１を転動可能に支持する転動面１２ａが形成されている。
さらにまた、エンドレスウィンチ用ガイドレール１２には、ローラ１１が出し入れ可能であるローラ用開口部１２ｂが形成されている。
【００１０】
図４は図３の第１のエンドレスウィンチフレーム６ｂ、ローラ１１およびエンドレスウィンチ用ガイドレール１２の要部を示す平面図、図５は図３の第１のエンドレスウィンチフレーム６ｂ、ローラ１１およびエンドレスウィンチ用ガイドレール１２を示す内部側面図、図６は図３の第１のエンドレスウィンチフレーム６ｂ、ローラ１１およびエンドレスウィンチ用ガイドレール１２を示す内部正面図である。
エンドレスウィンチ用ガイドレール１２の転動面１２ａには、ローラ用開口部１２ｂに連通した、第１のエンドレスウィンチフレーム６ｂの先端部が貫通可能なフレーム用開口部１２ｃが壁面方向に沿って形成されている。
これにより、第１のエンドレスウィンチフレーム６ｂの先端部がエンドレスウィンチ用ガイドレール１２の内部に臨んだままの状態で、第１のエンドレスウィンチ６がエンドレスウィンチ用ガイドレール１２に対して壁面方向に移動可能となっている。
【００１１】
移動規制手段１０は、第１のエンドレスウィンチフレーム６ｂの先端部に取り付けられた、エンドレスウィンチ用ガイドレール１２の下面に外側から接触可能な一対の接触体１３を有している。
エンドレスウィンチ用ガイドレール１２および接触体１３のそれぞれの接触面は、互いに接触したときに、エンドレスウィンチ用ガイドレール１２に対して接触体１３が壁面方向に移動することを規制する摩擦力が生じるようになっている。
これにより、接触体１３がエンドレスウィンチ用ガイドレール１２に接触することで、第１のエンドレスウィンチ６は壁面方向への移動が規制される。
接触体１３は、ボルト１３ａを介して第１のエンドレスウィンチフレーム６ｂに固定されており、ボルト１３ａを取り外すことで、簡単に第１のエンドレスウィンチフレーム６ｂから接触体１３を取り外すことができる。
【００１２】
次に、この実施の形態に係るエレベータの据付装置の取り付け手順について説明する。
まず、かご枠５の下面にエンドレスウィンチ用ガイドレール１２を固定する。
次に、ローラ１１をローラ用開口部１２ｂからエンドレスウィンチ用ガイドレール１２の内部に挿入して、エンドレスウィンチ用ガイドレール１２にローラ１１を支持させる。
このとき、ローラ１１はエンドレスウィンチ用ガイドレール１２の転動面１２ａに沿って転動可能であるので、作業床８に乗せる物の重心の位置に合わせて、第１のエンドレスウィンチ６をエンドレスウィンチ用ガイドレール１２に沿って移動させる。
次に、第１のエンドレスウィンチ６を駆動させて、第１のエンドレスウィンチ本体６ａがワイヤーロープ７の巻き取りを開始することで、第１のエンドレスウィンチ６が上昇し、ローラ１１が転動面１２ａから離間する。
さらに、第１のエンドレスウィンチ本体６ａがワイヤーロープ７を巻き取ることで、第１のエンドレスウィンチフレーム６ｂの先端部に固定された接触体１３がエンドレスウィンチ用ガイドレール１２の下面に接触し、第１のエンドレスウィンチ６がエンドレスウィンチ用ガイドレール１２を介してかご枠５を押圧して、エンドレスウィンチ用ガイドレール１２と接触体１３との間には摩擦力が発生する。
これにより、接触体１３がエンドレスウィンチ用ガイドレール１２に接触することで、第１のエンドレスウィンチ６は、エンドレスウィンチ用ガイドレール１２に沿った移動が規制され、壁面方向への移動が規制される。
さらにまた、第１のエンドレスウィンチ本体６ａがワイヤーロープ７を巻き取ることで、上昇する第１のエンドレスウィンチ６とともに、エンドレスウィンチ用ガイドレール１２およびかご枠５が上昇するので、上部作業床８ａおよび下部作業床８ｂも連動して上昇する。
上部作業床８ａおよび下部作業床８ｂを目的の位置まで移動させた後、第１のエンドレスウィンチ本体６ａの駆動を停止し、上部作業床８ａおよび下部作業床８ｂを固定させて、作業者が昇降路１内の所定の据付作業を行う。
【００１３】
この実施の形態に係るエレベータの据付装置によれば、かご枠５に対して第１のエンドレスウィンチ６を昇降路１の壁面方向へ移動可能にする移動可能手段９と、第１のエンドレスウィンチ６を上方に移動させかご枠５を押圧することで、かご枠５に対する第１のエンドレスウィンチ６の壁面方向への移動を規制する移動規制手段１０とを備えているので、第１のエンドレスウィンチ６のかご枠５への取り付けの作業効率を向上させることができる。
【００１４】
また、移動可能手段９は、第１のエンドレスウィンチフレーム６ｂに回転自在に取り付けられたローラ１１と、かご枠５に固定される、ローラ１１を転動可能に支持するエンドレスウィンチ用ガイドレール１２とを有しているので、簡単に、第１のエンドレスウィンチ６をエンドレスウィンチ用ガイドレール１２に沿って移動させて、所定の位置に配置することができる。
【００１５】
実施の形態２．
図７はこの実施の形態に係るエレベータの据付装置が取り付けられたエレベータの要部を示す正面図である。
この実施の形態に係るエレベータの据付装置は、移動規制手段１０が、エンドレスウィンチ用ガイドレール１２に形成された、転動面１２ａに対向した、複数の凸状をした第１の係合体であるストッパ１４を有している。
なお、第１のエンドレスウィンチ６には、接触体１３が取り付けられていない。
ストッパ１４は、エンドレスウィンチ用ガイドレール１２の内部に挿入されたローラ１１に押圧されることにより、このローラ１１と係合する。
これにより、ローラ１１がストッパ１４を押圧することで、第１のエンドレスウィンチ６は、壁面方向への移動が規制される。
なお、ストッパ１４は、凸状に限らず、例えば、波状であってもよい。
その他の構成は実施の形態１と同様である。
【００１６】
この実施の形態に係るエレベータの据付装置によれば、移動規制手段１０は、エンドレスウィンチ用ガイドレール１２の転動面１２ａに対向して形成された、ローラ１１に押圧されることにより、このローラと係合可能なストッパ１４を有しているので、第１のエンドレスウィンチ６に接触体１３を固定することなく、簡単に、第１のエンドレスウィンチ６のエンドレスウィンチ用ガイドレール１２に沿った壁面方向への移動を規制することができる。
【００１７】
実施の形態３．
図８はこの実施の形態に係るエレベータの据付装置が取り付けられたエレベータの要部を示す正面図、図９は図８のエレベータを示す側面図、図１０は図８のエレベータの据付装置を示す拡大図、図１１は図８のアダプター枠１６が取り付けられた第１のエンドレスウィンチ６に第２のエンドレスウィンチ１５を取り付ける様子を示す側面図、図１２は図８の第１のエンドレスウィンチ６、第２のエンドレスウィンチ１５およびアダプター枠１６を示す分解斜視図である。
この実施の形態に係るエレベータの据付装置は、一対の第１のエンドレスウィンチ６の下方に設けられた、駆動することで一対の第１のエンドレスウィンチ６を介してかご枠５を昇降させる第２のエンドレスウィンチ１５と、第１のエンドレスウィンチ６の下面に固定手段１６ａにより固定された、第２のエンドレスウィンチ１５とに係合される第２の係合体であるアダプター枠１６とをさらに備えている。
【００１８】
アダプター枠１６は、平板状であり、一方向の両端部には、上面側および下面側に突出した突出部１６ｂが形成されている。
この突出部１６ｂにより、第２のエンドレスウィンチ１５は、第１のエンドレスウィンチ６に対して、水平方向であって、第１のエンドレスウィンチ６の移動する壁面方向に直交した方向への移動が規制される。
【００１９】
アダプター枠１６の中心部には、突出部１６ｂに沿って延びた長孔１６ｃが形成されており、第２のエンドレスウィンチ本体１５ａのワイヤーロープ７は長孔１６ｃに沿って移動可能となっている。
これにより、第２のエンドレスウィンチ１５は、アダプター枠１６に係合された状態で、第１のエンドレスウィンチ６に対して、第１のエンドレスウィンチ６の移動する壁面方向と同じ方向に移動可能である。
その他の構成は実施の形態１と同様である。
【００２０】
この実施の形態に係るエレベータの据付装置によれば、一対の第１のエンドレスウィンチ６の下方には、駆動することでかご枠５を昇降させる第２のエンドレスウィンチ１５がさらに設けられているので、高い吊能力を得ることができる。
また、第２のエンドレスウィンチ１５は、第１のエンドレスウィンチ６の下方に取り付けられているので、下部作業床８ｂにおける作業者の作業スペースを確保することができる。
【００２１】
また、第２のエンドレスウィンチ１５は、第１のエンドレスウィンチ６に固定されたアダプター枠１６により、第１のエンドレスウィンチ６に対して、水平方向であって、第１のエンドレスウィンチ６の移動する壁面方向に直交した方向への移動が規制されるので、第２のエンドレスウィンチ１５を簡単に所定の位置に配置することができる。
【００２２】
実施の形態４．
図１３はこの実施の形態に係るエレベータの据付装置が取り付けられたエレベータの要部を示す正面図、図１４は図１３の第１のエンドレスウィンチ６、基台１７ａおよびキャスター１７ｂを示す側面図、図１５は図１４の第１のエンドレスウィンチ６と基台１７ａとを固定した様子を示す側面図である。
この実施の形態に係るエレベータの据付装置は、第１のエンドレスウィンチフレーム６ｂの下側に、基台１７ａを介してキャスター１７ｂが着脱可能に取り付けられている。
その他の構成は実施の形態１と同様である。
なお、第１のエンドレスウィンチ６の下側にキャスター１７ｂを直接取り付けてもよい。
また、このキャスター１７ｂは、実施の形態３に係るエレベータの据付装置の第２のエンドレスウィンチ１５の下側に着脱可能に取り付けてもよい。
【００２３】
この実施の形態に係るエレベータの据付装置によれば、第１のエンドレスウィンチフレーム６ｂの下側には、基台１７ａを介してキャスター１７ｂが取り付けられているので、第１のエンドレスウィンチ６の搬入または搬出の際、簡単に第１のエンドレスウィンチ６を移動させることができる。
【図面の簡単な説明】
【００２４】
【図１】実施の形態１に係るエレベータの据付装置が取り付けられたエレベータの要部を示す正面図である。
【図２】図１のエレベータを示す側面図である。
【図３】図１のエレベータの据付装置を示す拡大図である。
【図４】図３の第１のエンドレスウィンチフレーム、ローラおよびエンドレスウィンチ用ガイドレールの要部を示す平面図である。
【図５】図３の第１のエンドレスウィンチフレーム、ローラおよびエンドレスウィンチ用ガイドレールを示す内部側面図である。
【図６】図３の第１のエンドレスウィンチフレーム、ローラおよびエンドレスウィンチ用ガイドレールを示す内部正面図である。
【図７】実施の形態２に係るエレベータの据付装置が取り付けられたエレベータの要部を示す正面図である。
【図８】実施の形態３に係るエレベータの据付装置が取り付けられたエレベータの要部を示す正面図である。
【図９】図８のエレベータを示す側面図である。
【図１０】図８のエレベータの据付装置を示す拡大図である。
【図１１】図８のアダプター枠が取り付けられた第１のエンドレスウィンチに第２のエンドレスウィンチを取り付ける様子を示す側面図である。
【図１２】図８の第１のエンドレスウィンチ、第２のエンドレスウィンチおよびアダプター枠を示す分解斜視図である。
【図１３】実施の形態４に係るエレベータの据付装置が取り付けられたエレベータの要部を示す正面図である。
【図１４】図１３の第１のエンドレスウィンチ、基台およびキャスターを示す側面図である。
【図１５】図１４の第１のエンドレスウィンチと基台とを固定した様子を示す側面図である。
【符号の説明】
【００２５】
１  昇降路、２  かご枠用ガイドレール、３  機械室、４  巻上機、５  かご枠、６  第１のエンドレスウィンチ、６ａ  第１のエンドレスウィンチ本体、６ｂ  第１のエンドレスウィンチフレーム、７  ワイヤーロープ、８  作業床、８ａ  上部作業床、８ｂ  下部作業床、９  移動可能手段、１０  移動規制手段、１１  ローラ、１２  エンドレスウィンチ用ガイドレール、１２ａ  転動面、１２ｂ  ローラ用開口部、１２ｃ  フレーム用開口部、１３  接触体、１３ａ  ボルト、１４  ストッパ（第１の係合体）、１５  第２のエンドレスウィンチ、１５ａ  第２のエンドレスウィンチ本体、１５ｂ  第２のエンドレスウィンチフレーム、１６  アダプター枠（第２の係合体）、１６ａ  固定手段、１６ｂ  突出部、１６ｃ  長孔、１７ａ  基台、１７ｂ  キャスター。
【図１】
2009196808.tif 000003
【図２】
2009196808.tif 000004
【図３】
2009196808.tif 000005
【図４】
2009196808.tif 000006
【図５】
2009196808.tif 000007
【図６】
2009196808.tif 000008
【図７】
2009196808.tif 000009
【図８】
2009196808.tif 000010
【図９】
2009196808.tif 000011
【図１０】
2009196808.tif 000012
【図１１】
2009196808.tif 000013
【図１２】
2009196808.tif 000014
【図１３】
2009196808.tif 000015
【図１４】
2009196808.tif 000016
【図１５】
2009196808.tif 000017